(57)【要約】【課題】メッシュフェンスのパネル同士を連結する際に、パネルの横桟を挟み込む一方および他方の金具同士の位置決めが確実に行え、しかも、ボルト締めした後での両金具の動きを最小限に抑えることが可能となるフェンス用固定金具を提供する。【解決手段】それぞれボルト孔２、５が形成された一方および他方の金具１、４と、一方の金具１と他方の金具４とを結合するボルト６とを備え、ボルト６によって、一方の金具１と他方の金具４との間にパネルの線材が挟み込まれるフェンス用固定金具において、一方の金具１のボルト孔２部分の上面には、テーパー状の凹部３が形成され、他方の金具４のボルト孔２部分の下面には、凹部３に入り込むリング状の突出部４Ｂが形成されている。【選択図】図６
2008144466.tif 000002
【特許請求の範囲】
【請求項１】
それぞれボルト孔が形成された一方および他方の金具と、前記一方の金具と前記他方の金具とを結合するボルトとを備え、前記ボルトによって、前記一方の金具と前記他方の金具との間にパネルの線材が挟み込まれるフェンス用固定金具において、
前記一方の金具の前記ボルト孔部分の上面には、テーパー状の凹部が形成され、前記他方の金具の前記ボルト孔部分の下面には、前記凹部に入り込むリング状の突出部が形成されていることを特徴とするフェンス用固定金具。
【請求項２】
前記一方の金具の前記ボルト孔には、雌ねじが形成されていることを特徴とする、請求項１記載のフェンス用固定金具。
【請求項３】
前記一方の金具は、板状をなし、前記一方の金具の前記ボルト孔は、前記一方の金具の長手方向両端部に形成され、前記一方の金具の幅方向両端部には、前記線材が入り込む段部が形成されていることを特徴とする、請求項１または２記載のフェンス用固定金具。
【請求項４】
前記他方の金具は、コ字状をなし、前記一方の金具に重ね合わされ、両側のフランジは、外方に広がっていることを特徴とする、請求項１から３の何れかに記載されたフェンス用固定金具。
【発明の詳細な説明】
【技術分野】
【０００１】
この発明は、フェンス用固定金具、特に、メッシュフェンスのパネル同士を連結するために使用されるフェンス用固定金具に関するものである。
【背景技術】
【０００２】
従来、縦桟と横桟とを格子状に溶接したものからなるパネルを、支柱間に固定することによって構築されるメッシュフェンスにおいて、パネル同士を連結する固定金具の一例が、非特許文献１（意匠登録第１０５６６７３号公報）に開示されている。以下、この固定金具を従来固定金具といい、図面を参照しながら説明する。
【０００３】
図８は、従来固定金具を示す正面図、図９は、従来固定金具を示す平面図、図１０は、従来固定金具を示す側面図、図１１は、従来固定金具を示す底面図、図１２は、図８のＡ−Ａ線断面図、図１３は、図９のＢ−Ｂ線断面図、図１４は、従来固定金具により連結されたパネルを示す部分斜視図である。
【０００４】
図８から図１４において、１１は、中央部に谷部１２が形成された板状をなす一方の金具である。一方の金具１１の長手方向両端部には、雌ねじが切られたボルト孔１３が形成され、幅方向両端部には、後述するパネル１７の横線１９が入り込む段部１１Ａが形成されている。
【０００５】
１４は、コ字状に形成された一対の他方の金具であり、中央部にボルト孔１５が形成されている。他方の金具１４は、一方の金具１１の端部上に重ね合わされ、両側のフランジ１４Ａは、直角に折れ曲がっている。
【０００６】
１６は、一方の金具１１と他方の金具１４とを結合するボルトであり、他方の金具１４のボルト孔１５から一方の金具１１のボルト孔１３に通され、締め付けられる。
【０００７】
なお、図１４に示すように、パネル１７は、縦桟１８と横桟１９とを格子状に溶接したものからなり、パネル１７の上端部には、縦桟１８の上端部を円弧状に折り曲げ、この折り曲げ部の外側に複数本の横桟１９を溶接することによって上胴縁が形成されている。
【０００８】
このように構成されている従来固定金具によれば、一方のパネル１７と他方のパネル１７の上胴縁同士が以下のようにして連結される。
【０００９】
付き合わされたパネル１７の上胴縁内に跨って一方の金具１１を、上胴縁の横桟１９が一方の金具１１の段部１１Ａ内に入り込むように挿入する。この際、一方の金具１１の谷部１２に上胴縁端部の縦桟１８が入り込むので、横桟１９は、縦桟１８に干渉されずに段部１１Ａ内に入り込む。次いで、上胴縁の外側から他方の金具１４を一方の金具１１の長手方向端部上にあてがって、上胴縁の横桟１９を一方の金具１１と他方の金具１４とによって挟み込む。そして、ボルト１６を両金具１１、１４のボルト孔１３、１５に挿入し、締め付ければ、両パネル１７の上胴縁同士が連結される。
【００１０】
従来固定金具によって、一方のパネル１７と他方のパネル１７との中間部同士を連結する場合にも、上胴縁の場合と同様に、図１４に示すように、一方の金具１１と他方の金具１４とによって横桟１９を挟み込み、ボルト１６を締め付ければ、両パネル１７の中間部同士が連結される。
【００１１】
【非特許文献１】意匠登録第１０５６６７３号公報
【発明の開示】
【発明が解決しようとする課題】
【００１２】
上述した従来固定金具によれば、一方のパネル１７と他方のパネル１７とを連結することはできるが、以下のような問題があった。
【００１３】
図１３に示すように、一方の金具１１と他方の金具１４とは、平面同士の接触であるので滑りやすく、位置決めがし難かった。特に、両金具１１、１４には塗装が施されているので、余計に滑りやすく、この点でも位置決めがし難かった。
【００１４】
また、他方の金具１４のフランジ１４Ａは、直角に折れ曲がっているので、段部１１Ａ内での横桟１９の移動量（図１２中、Ｌで示す）が大きく、ボルト締めした後であっても、両金具１１、１４が移動量（Ｌ）の範囲内で動いてしまう恐れがあった。
【００１５】
従って、この発明の目的は、メッシュフェンスのパネル同士を連結する際に、パネルの横桟を挟み込む一方および他方の金具同士の位置決めが確実に行え、しかも、ボルト締めした後での両金具の動きを最小限に抑えることが可能なフェンス用固定金具を提供することにある。
【課題を解決するための手段】
【００１６】
この発明は、上記目的を達成するためになされたものであって、下記を特徴とするものである。
【００１７】
請求項１記載の発明は、それぞれボルト孔が形成された一方および他方の金具と、前記一方の金具と前記他方の金具とを結合するボルトとを備え、前記ボルトによって、前記一方の金具と前記他方の金具との間にパネルの線材が挟み込まれるフェンス用固定金具において、前記一方の金具の前記ボルト孔部分の上面には、テーパー状の凹部が形成され、前記他方の金具の前記ボルト孔部分の下面には、前記凹部に入り込むリング状の突出部が形成されていることに特徴を有するものである。
【００１８】
請求項２記載の発明は、請求項１記載の発明において、前記一方の金具の前記ボルト孔には、雌ねじが形成されていることに特徴を有するものである。
【００１９】
請求項３記載の発明は、請求項１または２記載の発明において、前記一方の金具は、板状をなし、前記一方の金具の前記ボルト孔は、前記一方の金具の長手方向両端部に形成され、前記一方の金具の幅方向両端部には、前記線材が入り込む段部が形成されていることに特徴を有するものである。
【００２０】
請求項４記載の発明は、請求項１から３の何れかに記載された発明において、前記他方の金具は、コ字状をなし、前記一方の金具に重ね合わされ、両側のフランジは、外方に広がっていることに特徴を有するものである。
【発明の効果】
【００２１】
この発明によれば、メッシュフェンスのパネル同士を連結する際に、パネルの横桟を挟み込む一方および他方の金具同士の位置決めが確実に行え、しかも、ボルト締めした後での両金具の動きを最小限に抑えることが可能となる。
【発明を実施するための最良の形態】
【００２２】
この発明のフェンス用固定金具の一実施態様を、図面を参照しながら説明する。
【００２３】
図１は、この発明のフェンス固定金具を示す正面図、図２は、この発明のフェンス固定金具を示す平面図、図３は、この発明のフェンス固定金具を示す側面図、図４は、この発明のフェンス固定金具を示す底面図、図５は、図１のＡ−Ａ線断面図、図６は、図２のＢ−Ｂ線断面図、図７は、この発明のフェンス固定金具により連結されたパネルを示す部分斜視図である。
【００２４】
図１から図７において、１は、両端部にボルト孔２が形成された板状をなす一方の金具である。ボルト孔２には、雌ねじが切られ、ボルト孔２部分の上面には、テーパー状（すり鉢状）の凹部３が形成されている。凹部３の中心とボルト孔２との中心軸は一致している。一方の金具１の幅方向両端部には、後述するパネル７の横線９が入り込む段部１Ａが形成されている。
【００２５】
４は、コ字状に形成された一対の他方の金具であり、中央部にボルト孔５が形成されている。他方の金具４のボルト孔５部分の下面には、一方の金具１の凹部３に入り込むリング状の突出部４Ｂが形成されている。突出部４Ｂは、後述するボルト６を締めたときに突出部４Ｂの下端が一方の金具１の凹部３に接する高さを有している。他方の金具４は、一方の金具１の端部上に重ね合わされ、両側のフランジ４Ａは、角度（θ）の角度で外方に広がるように折り曲げられている。
【００２６】
６は、一方の金具１と他方の金具４とを結合するボルトであり、他方の金具４のボルト孔５から一方の金具１のボルト孔２に通され、締め付けられる。
【００２７】
なお、図７に示すように、パネル７は、縦桟８と横桟９とを格子状に溶接したものからなり、パネル７の上端部には、縦桟８の上端部を円弧状に折り曲げ、この折り曲げ部の内側に複数本の横桟９を溶接することによって上胴縁が形成されている。
【００２８】
このように構成されている、この発明のフェンス固定金具によれば、以下のようにして、一方のパネル７と他方のパネル７の上胴縁同士が連結される。
【００２９】
付き合わされたパネル７の上胴縁内に跨って一方の金具１を、上胴縁の横桟９が一方の金具１の段部１Ａ内に入り込むように挿入する。次いで、上胴縁の外側から他方の金具４を一方の金具１の長手方向端部上にあてがって、上胴縁の横桟９を一方の金具１と他方の金具４とによって挟み込む。
【００３０】
そして、ボルト６を両金具１、４のボルト孔２、５に挿入し、締め付ければ、両パネル７の上胴縁同士が連結される。この際、他方の金具４の突出部４Ｂは、ボルト６の締め付けに伴って、一方の金具１の凹部３に徐々に押し付けられるが、このとき突出部４Ｂと一方の金具１のボルト孔２との位置が多少ずれていても、凹部３がテーパー状に形成されているので、最終的には、リング状の突出部４Ｂは、一方の金具１のボルト孔２の中心部に強制的に移動し、これにより両金具１、４の位置決めが両金具１、４への塗装の有無にかかわらず確実になされる。
【００３１】
また、他方の金具４のフランジ４Ａが外方に広がっているので、従来固定金具のように、フランジ４Ａが直角に折り曲げられている場合に比べて、図５に示すように、一方の金具１の段部１Ａ内での横桟９の動きが制約される。従って、ボルト６締結後に両金具１、４が大きく動いてしまう恐れはない。
【００３２】
この発明のフェンス固定金具によって、一方のパネル７と他方のパネル７との中間部同士を連結する場合にも、上胴縁の場合と同様に、一方の金具１と他方の金具４とによって横桟９を挟み込み、ボルト６を締め付ければ、両パネル７の中間部同士が連結される。
【００３３】
以上、説明したように、この発明にフェンス固定金具によれば、一方の金具のボルト孔部分の上面にテーパー状の凹部を形成し、他方の金具のボルト孔部分の下面に前記凹部に入り込むリング状の突出部を形成することによって、両金具の位置決めが確実に行え、しかも、他方の金具のフランジを外方に広げることによって、一方の金具の段部内での横桟の動きが阻止されるので、ボルト締めした後での両金具の動きを最小限に抑えることが可能となる。
【００３４】
なお、上述した、この発明のフェンス固定金具は、胴縁の内側に横線を配したパネル同士を連結するものであるが、図１４に示すように、胴縁の外側に横線を配したパネル同士を連結する場合には、一方の金具１の中央部に、従来固定金具のように、谷部を形成すれば良い。
【００３５】
この発明は、以上の固定金具以外に、一方の金具と他方の金具との間に線材を挟み込んで固定する別の金具にも適用することができる。
【図面の簡単な説明】
【００３６】
【図１】この発明のフェンス固定金具を示す正面図である。
【図２】この発明のフェンス固定金具を示す平面図である。
【図３】この発明のフェンス固定金具を示す側面図である。
【図４】この発明のフェンス固定金具を示す底面図である。
【図５】図１のＡ−Ａ線断面図である。
【図６】図２のＢ−Ｂ線断面図である。
【図７】この発明のフェンス固定金具により連結されたパネルを示す部分斜視図である。
【図８】従来固定金具を示す正面図である。
【図９】従来固定金具を示す平面図である。
【図１０】従来固定金具を示す側面図である。
【図１１】従来固定金具を示す底面図である。
【図１２】図８のＡ−Ａ線断面図である。
【図１３】図９のＢ−Ｂ線断面図である。
【図１４】従来固定金具により連結されたパネルを示す部分斜視図である。
【符号の説明】
【００３７】
１：一方の金具
１Ａ：段部
２：ボルト孔
３：凹部
４：他方の金具
４Ａ：フランジ
５：ボルト孔
６：ボルト
７：パネル
８：縦桟
９：横桟
１１：一方の金具
１１Ａ：段部
１２：谷部
１３：ボルト孔
１４：他方の金具
１４Ａ：フランジ
１５：ボルト孔
１６：ボルト
１７：パネル
１８：縦桟
１９：横桟
【図１】
2008144466.tif 000003
【図２】
2008144466.tif 000004
【図３】
2008144466.tif 000005
【図４】
2008144466.tif 000006
【図５】
2008144466.tif 000007
【図６】
2008144466.tif 000008
【図７】
2008144466.tif 000009
【図８】
2008144466.tif 000010
【図９】
2008144466.tif 000011
【図１０】
2008144466.tif 000012
【図１１】
2008144466.tif 000013
【図１２】
2008144466.tif 000014
【図１３】
2008144466.tif 000015
【図１４】
2008144466.tif 000016